(57)【要約】【課題】漏水の発生を防ぐと共に、蓋体の昇降操作を安定して行う水門装置を提供する。【解決手段】  水門装置１は、蓋体１０を、排水孔５を閉塞可能な円盤状として、蓋体１０の左右の外周部をガイド溝３に嵌合させると共に、蓋体１０に、蓋体１０を回転操作可能なレバー１１を連結する一方、蓋体１０における排水孔５と反対側の外面に、レバー１１による蓋体１０の回転操作に伴い、ガイド溝３に進入する第一の回転位置と、ガイド溝３から離れる第二の回転位置とに位相を変化させ、第一の回転位置では、ガイド部材２との当接によって蓋体１０を排水孔５側へ押圧する楔状突起１２を一体に設けた。【選択図】図１
2013087428.tif 000002
【特許請求の範囲】
【請求項１】
排水孔を有する用水路の壁面に設置され、排水孔の左右両側で相対向する一対のガイド溝を有するガイド部材と、前記ガイド溝間に昇降可能に保持されて前記排水孔を開閉可能な蓋体とを含んでなる水門装置であって、
前記蓋体を、前記排水孔を閉塞可能な円盤状として、前記蓋体の左右の外周部を前記ガイド溝に嵌合させると共に、前記蓋体に、前記蓋体を回転操作可能なレバーを連結する一方、
前記蓋体における前記排水孔と反対側の外面に、前記レバーによる前記蓋体の回転操作に伴い、前記ガイド溝に進入する第一の回転位置と、前記ガイド溝から離れる第二の回転位置とに位相を変化させ、前記第一の回転位置では、前記ガイド部材との当接によって前記蓋体を前記排水孔側へ押圧する押圧部を一体に設けたことを特徴とする水門装置。
【請求項２】
前記押圧部を、前記蓋体の回転中心を中心とした点対称位置に一対設けられる楔状突起としたことを特徴とする請求項１に記載の水門装置。
【発明の詳細な説明】
【技術分野】
【０００１】
本発明は、用水路内で水の堰き止めや排水を行う水門装置に関する。
【背景技術】
【０００２】
従来から水門装置は、装置内部に設けられる仕切板を上下に摺動することで用水路内の水の堰き止めや排水を行うものが知られている。
しかしながら、このような水門装置では、水の堰き止め時に仕切板と装置内との間に隙間ができることで漏水が発生するという問題があった。
【０００３】
これに対し、ガイド溝を用水路内左右に縦設すると共に、仕切板上に先端がテーパー状の棒状係止杆を回動自在に軸支し、この棒状係止杆が水平状態の時に両端でガイド溝内を押圧して仕切板の固定を行う一方、棒状係止杆が傾斜状態の時には押圧を解除する構造の水門装置が知られている（特許文献１）。
【先行技術文献】
【特許文献】
【０００４】
【特許文献１】特開平８−１０５０３４号公報
【発明の概要】
【発明が解決しようとする課題】
【０００５】
しかしながら、このような上記特許文献１の水門装置では、漏水の発生を防ぐことは可能であるものの、操作レバーと棒状係止杆とが一体に取り付けられると共に、棒状係止杆が仕切板と回動自在に軸支されていることから、仕切板の昇降操作の際に、操作レバーを持ち上げると、棒状係止杆の先端がガイド溝外側へ移動することがあり、この時には、操作レバーで棒状係止杆の操作をやり直したり、ガイド溝を形成するレールが仕切板と棒状係止杆との間に挟まってしまい、仕切板の昇降操作できなかったりするという問題が生じていた。
【０００６】
そこで、本発明の目的は、漏水の発生を防ぐと共に、蓋体の昇降操作を安定して行う水門装置を提供することにある。
【課題を解決するための手段】
【０００７】
上記目的を達成するために、本発明のうち請求項１に記載の発明は、排水孔を有する用水路の壁面に設置され、排水孔の左右両側で相対向する一対のガイド溝を有するガイド部材と、前記ガイド溝間に昇降可能に保持されて前記排水孔を開閉可能な蓋体とを含んでなる水門装置であって、
前記蓋体を、前記排水孔を閉塞可能な円盤状として、前記蓋体の左右の外周部を前記ガイド溝に嵌合させると共に、前記蓋体に、前記蓋体を回転操作可能なレバーを連結する一方、
前記蓋体における前記排水孔と反対側の外面に、前記レバーによる前記蓋体の回転操作に伴い、前記ガイド溝に進入する第一の回転位置と、前記ガイド溝から離れる第二の回転位置とに位相を変化させ、前記第一の回転位置では、前記ガイド部材との当接によって前記蓋体を前記排水孔側へ押圧する押圧部を一体に設けたことを特徴とするものである。
請求項２に記載の発明は、請求項１に記載の水門装置において、前記押圧部を、前記蓋体の回転中心を中心とした点対称位置に一対設けられる楔状突起としたことを特徴とするものである。
【発明の効果】
【０００８】
本発明の請求項１に記載の発明によれば、漏水の発生を防ぐと共に、蓋体の昇降操作を安定して行うことが可能である。また、蓋体を排水孔側へ押圧する押圧部を蓋体と一体に設けたので、部品点数も少なくて低コストで製作できる。
他にも、請求項２に記載の発明によれば、蓋体とガイド溝との押圧が均一に行われることから、密着を強固にすることが可能である。
【図面の簡単な説明】
【０００９】
【図１】（ａ）は、水門装置全体の構成を示す説明図であり、（ｂ）は、Ａ−Ａ断面を示す説明図である。
【図２】（ａ）〜（ｃ）は、水門装置の開閉機構を示す説明図である。
【図３】（ａ）は、水門装置の変更例示す説明図であり、（ｂ）は、Ｂ−Ｂ断面を示す説明図である。
【図４】（ａ）〜（ｃ）は、水門装置の変更例示す説明図であり、（ｄ）は、（ｃ）の部分拡大図を示す説明図である。
【発明を実施するための形態】
【００１０】
以下、本発明の実施の形態を図面に基づいて説明する。
【００１１】
図１（ａ）は、水門装置１全体の構成を示したもので、図１（ｂ）は、Ａ−Ａ断面を示したものである。
まず初めに、本発明の水門装置１は、図１（ａ）に示すように、排水孔５を有する用水路の壁面に設置され、排水孔５の左右両側で相対向する一対のガイド溝３，３を有するガイド部材２と、ガイド溝３，３間に昇降可能に保持されて排水孔５を開閉可能な蓋体１０とを含む構成である。なお、排水孔５は、排水のみに用いられるものではなく、用水にも用いられるものである。
【００１２】
このうち、ガイド部材２は、図１（ｂ）に示すように、ガイド溝３を断面コ字状に折り曲げ形成すると共に、底部４はＬ字状に折り曲げ形成したステンレス製の板材で、中央下部には、用水路内の水を排出可能とする排水孔５が設けられている。
【００１３】
次に、蓋体１０は、排水孔５を閉塞可能な円盤状として、蓋体１０の左右の外周部をガイド溝３，３に嵌合させると共に、蓋体１０には、蓋体１０を回転操作可能なレバー１１が連結されている。
更に、この蓋体１０には、蓋体１０における排水孔５と反対側の外面に、蓋体１０の回転中心を中心とした点対称位置に一対の楔状突起１２，１２が設けられている。この楔状突起１２，１２により、レバー１１による蓋体１０の回転操作に伴い、楔状突起１２，１２が、ガイド溝３に進入する第一の回転位置と、ガイド溝３から離れる第二の回転位置とに位相を変化させる。各楔状突起１２の周方向の端部には、第一の回転位置でガイド部材２との当接によって蓋体１０を排水孔５側へ押圧する傾斜状の押圧部１３が一体に設けられている。
また、レバー１１は、楔状突起１２，１２間に対し、約５５°傾斜した位置で蓋体１０に固着されている。
【００１４】
一方、蓋体１０は、レバー１１や楔状突起１２が設けられるステンレス製の外板１５と、ガイド部材２の排水孔５周縁に密着し、中央に円形の凹部を備えたクロロプレンゴム （ＣＲゴム）からなる止水ゴム１６と、この止水ゴム１６の凹部内に設置し、外板１５と止水ゴム１６とを一体に固定するリサイクルプラスチックからなるゴム押え１７とから形成されている。
ここで、外板１５と止水ゴム１６とゴム押え１７とには、複数の孔が円周方向に所定の間隔でこれらを重ね合わせた時に同じ位置となるように穿設されている（図示せず）。そして、図１（ｂ）に示す順番でこれらを重ね合わせた後、孔に対しナットにボルトを螺合させることで共締めを行い、ゴム押え１７によって外板１５と止水ゴム１６とが一体に固定される。
【００１５】
以上の如く構成された水門装置１により、用水路２０内に堰き止められた水が排出される過程について説明する。
まず初めに、図２（ａ）に示すように、用水路２０内に縦設される水門装置１の閉塞した状態（第一の回転位置）から、レバー１１を矢印の示す反時計方向へと回転する。
即ち、レバー１１が回転することから、レバー１１と一体に固着される蓋体１０もこれに従って回転し、蓋体１０に形成される楔状突起１２がガイド溝３から外れ（図２（ｂ））、蓋体１０が図１（ａ）に示す排水孔５を閉塞した状態から解除される（第二の回転位置）。
【００１６】
次に、図２（ｂ）に示すように、レバー１１を上方へと引き上げる。この場合、蓋体１０の周縁がガイド溝３，３内で補助される状態で上昇することとなる。
その後、図２（ｃ）に示すように、蓋体１０をガイド部材２上端まで引き上げることで、水門装置１によって用水路２０内に堰き止められていた水が排水孔５から流れ出ることとなる。この状態でレバー１１を矢印が示す時計方向に回転すると、楔状突起１２が再びガイド溝３内へ進入し、蓋体１０を排水孔５側へ押圧することとなるから、図２（ｄ）に示すように、排水孔５が開放された状態を保持しつつ蓋体１０がガイド部材２上端に固定されることとなる（第一の回転位置）。
【００１７】
一方、蓋体１０で排水孔５を閉塞する場合、まず初めに図２（ｄ）に示す状態からレバー１１を反時計方向に回転して、蓋体１０がガイド部材２上端で固定された状態から解除を行う（第二の回転位置）。
そして、図２（ｃ）に示す状態からレバー１１を下方へと引き下げる。この場合、蓋体１０の左右の外周部をガイド溝３に嵌合させた状態で、図２（ｂ）に示す位置まで下降することとなる。
その後、レバー１１を、図２（ａ）に示す状態まで時計方向に回転させることで、楔状突起１２がガイド溝３を内部から押圧し、排水孔５が閉塞されることとなる。
【００１８】
このように構成される水門装置１は、蓋体１０を、排水孔５を閉塞可能な円盤状として、蓋体１０の左右の外周部をガイド溝３に嵌合させると共に、蓋体１０に、蓋体１０を回転操作可能なレバー１１を連結する一方、蓋体１０における排水孔５と反対側の外面に、レバー１１による蓋体１０の回転操作に伴い、ガイド溝３に進入する第一の回転位置と、ガイド溝３から離れる第二の回転位置とに位相を変化させ、第一の回転位置では、ガイド部材２との当接によって蓋体１０を排水孔５側へ押圧する押圧部としての楔状突起１２を一体に設けたものである。それにより、漏水の発生を防ぐと共に、蓋体１０の昇降操作を安定して行うことが可能である。また、蓋体１０を排水孔５側へ押圧する押圧部を蓋体１０と一体に設けたので、部品点数も少なくて低コストで製作できる。
【００１９】
他にも、押圧部を、蓋体１０の回転中心を中心とした点対称位置に一対設けられる楔状突起１２，１２としたことにより、蓋体１０とガイド溝３との押圧が均等に行われることから、密着を強固にすることが可能である。
【００２０】
なお、本発明の水門装置の構成は、上記実施形態の態様に何ら限定されるものではなく、蓋体の閉塞時に漏水を防ぎ、蓋体の昇降操作を安定して行うものであれば、本発明の趣旨を逸脱しない範囲で必要に応じて適宜変更することができる。
例えば、押圧部は、必ずしも楔状突起１２によって押圧する必要はなく、図３（ａ）に示すように、一端が外板１５に固定され、他端が周方向へ行くに従って外板１５から徐々に離れるように湾曲形成された板バネ２５，２５としても良く、適宜変更可能である。この場合も楔状突起１２と同様に、第一の回転位置でガイド溝３に板バネ２５が侵入した後、図３（ｂ）に示すようにガイド部材２との当接によって蓋体１０を排水孔５側へ押圧し、蓋体１０と排水孔５との密着を強固にして蓋体１０の閉塞時の漏水を防ぎ、蓋体１０の昇降操作を安定して行うことが可能である。
【００２１】
また、レバー１１を、蓋体１０に固着する際の傾斜角度が必ずしも約５５°である必要はなく、ガイド溝３内部から楔状突起１２や板バネ２５が押圧する構造であれば良く、適宜変更可能である。更に、レバー１１による回転操作方向を逆としても良い。
【００２２】
他にも、止水ゴム１６を、外板１５と一体に固定する構成では、止水ゴム１６が排水孔５周縁に密着して漏水を防ぐ構造であれば良く、必ずしもゴム押え１７を用いる必要はなく、適宜変更可能である。加えて、ナットにボルトを螺合して共締めをする構造の他に、止水ゴム１６を貼着する構造としても良い。
【００２３】
また、ガイド部材２や外板１５が、ステンレスである必要はなく、錆の発生しない材質のものであれば適宜変更可能である。そして、ガイド部材２は、ガイド溝３，３が一体に設けられている必要はなく、左右に分割されていても良い。
他にも、止水ゴム１５がＣＲゴムである必要はなく、エチレンプロピレンゴム（ＥＰＤＭ）であっても良く、排水孔５周縁に密着して漏水を防ぐものであれば適宜変更可能である。
加えて、ゴム押え１７は、必ずしもリサイクルプラスチックである必要はなく、ポリ塩化ビニル（ＰＶＣ）やステンレス、アルミ等であっても良く、適宜変更可能である。
【００２４】
他にも、水門装置１には、蓋体１０の抜け防止機構を設けても良く、適宜変更可能である。
この場合、図４（ａ）に示すように、ガイド溝３の内側の一方に抜け防止部材３０が設けられ、矢印の示す方向へ蓋体１０が引き上げられると、図４（ｂ）に示す位置では、蓋体１０の外周部が防止部材３０に当接することで蓋体１０がガイド部材２から抜けることがない。従って、レバー１１を矢印の示す方向へ引き上げることで、蓋体１０がガイド部材２からそのまま抜き出ることや、蓋体１０自体が盗難されることを防止する。
また、蓋体１０をガイド部材２から抜き出す時は、レバー１１を図４（ｂ）に示す状態から矢印の示す反時計方向へと回転させて、図４（ｃ）に示す状態とする。この時、図４（ｃ）のＡ部分の拡大図（図４（ｄ））が示すように、蓋体１０の外周部には、切り欠き３１が形成されていることから、蓋体１０の外周部が抜け防止部材３０に当接することがない。また、止水ゴム１６は、抜け防止部材３０に当接するものの、レバー１１を矢印の示す方向へと引き上げると、当接箇所に外力が加わることで弾性変形をすることとなる。そして、レバー１１を矢印の示す方向へ引き上げることで、蓋体１０がガイド部材２から抜き出される。なお、切り欠き３１は、抜け防止部材３０に蓋体１０が当接しない形状であれば、外周部の一部のみに設けても良く、且つその形状が直線状や円弧状、これらを組み合わせた形状等であっても良い。
【００２５】
他にも、抜け防止部材３０は、図４（ａ）においてガイド溝３の一方にのみに設けているが、他方のガイド溝３に設ける構造としても良く、また両方のガイド溝３，３に設ける構造としても良い。
この場合、図４（ｃ）に示す状態において、蓋体１０の切り欠き３１を、他方のガイド溝３に設けられる抜け防止部材３０と当接する位置にも形成することとなる。また、止水ゴム１６は、上記と同様に、レバー１１を矢印の示す方向へと引き上げると、当接箇所に外力が加わることで弾性変形をすることとなる。
【符号の説明】
【００２６】
１・・水門装置、２・・ガイド部材、３・・ガイド溝、４・・底部、５・・排水孔、１０・・蓋体、１１・・レバー、１２・・押圧部、１３・・楔状突起、１４・・グリップ、１５・・外板、１６・・止水ゴム、１７・・ゴム押え、２０・・用水路、２５・・板バネ、３０・・抜け防止部材、３１・・切り欠き。
【図１】
2013087428.tif 000003
【図２】
2013087428.tif 000004
【図３】
2013087428.tif 000005
【図４】
2013087428.tif 000006
【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
排水孔を有する用水路の壁面に設置され、排水孔の左右両側で相対向する一対のガイド溝を有するガイド部材と、前記ガイド溝間に昇降可能に保持されて前記排水孔を開閉可能な蓋体とを含んでなる水門装置であって、
前記蓋体を、前記排水孔を閉塞可能な円盤状として、前記蓋体の左右の外周部を前記ガイド溝に嵌合させると共に、前記蓋体に、前記蓋体を回転操作可能なレバーを連結する一方、
前記蓋体における前記排水孔と反対側の外面に、前記レバーによる前記蓋体の回転操作に伴い、前記ガイド溝に進入する第一の回転位置と、前記ガイド溝から離れる第二の回転位置とに位相を変化させ、前記第一の回転位置では、前記ガイド部材との当接によって前記蓋体を前記排水孔側へ押圧する押圧部を、前記蓋体の回転中心を中心とした点対称位置に一対設けられる楔状突起として一体に設け、
前記蓋体が、前記ガイド溝に設けられた抜け防止部材に当接してガイド部材から抜け出ることを防止する一方、前記蓋体が所定の位置に回転すると、前記蓋体に形成された切り欠きによって前記抜け防止部材に当接することなく、前記ガイド部材から抜け出ることを可能とする抜け防止機構を備えたことを特徴とする水門装置。
【手続補正２】
【補正対象書類名】明細書
【補正対象項目名】０００７
【補正方法】変更
【補正の内容】
【０００７】
上記目的を達成するために、請求項１に記載の発明は、排水孔を有する用水路の壁面に設置され、排水孔の左右両側で相対向する一対のガイド溝を有するガイド部材と、前記ガイド溝間に昇降可能に保持されて前記排水孔を開閉可能な蓋体とを含んでなる水門装置であって、
前記蓋体を、前記排水孔を閉塞可能な円盤状として、前記蓋体の左右の外周部を前記ガイド溝に嵌合させると共に、前記蓋体に、前記蓋体を回転操作可能なレバーを連結する一方、
前記蓋体における前記排水孔と反対側の外面に、前記レバーによる前記蓋体の回転操作に伴い、前記ガイド溝に進入する第一の回転位置と、前記ガイド溝から離れる第二の回転位置とに位相を変化させ、前記第一の回転位置では、前記ガイド部材との当接によって前記蓋体を前記排水孔側へ押圧する押圧部を、前記蓋体の回転中心を中心とした点対称位置に一対設けられる楔状突起として一体に設け、
前記蓋体が、前記ガイド溝に設けられた抜け防止部材に当接してガイド部材から抜け出ることを防止する一方、前記蓋体が所定の位置に回転すると、前記蓋体に形成された切り欠きによって前記抜け防止部材に当接することなく、前記ガイド部材から抜け出ることを可能とする抜け防止機構を備えたことを特徴とするものである。
【手続補正３】
【補正対象書類名】明細書
【補正対象項目名】０００８
【補正方法】変更
【補正の内容】
【０００８】
本発明の請求項１に記載の発明によれば、漏水の発生を防ぐと共に、蓋体の昇降操作を安定して行うことが可能である。また、蓋体を排水孔側へ押圧する押圧部を蓋体と一体に設けたので、部品点数も少なくて低コストで製作できる。更に、蓋体がガイド部材からそのまま抜き出ることや、蓋体自体が盗難されることを防止する。
他にも、蓋体とガイド溝との押圧が均一に行われることから、密着を強固にすることが可能である。